(57)【要約】第１の基本サービスセット（ＢＳＳ）における送信機の送信と同時の１つまたは複数の重複基本サービスセット（ＯＢＳＳ）の送信機によるワイヤレス送信の動的禁止のための技術が提供される。第１のＢＳＳの第１の送信機は、保護された送信となる送信を識別し得、その識別に基づいて、保護された送信と同時の送信を第１のＢＳＳと重複するＯＢＳＳの１つまたは複数の他の送信機に動的に禁止し得る。ＯＢＳＳのアクセスポイントまたは局は、送信の禁止のインジケーションを受信し得、その禁止に基づいて送信を延期するための延期ルールを適用し得る。１つまたは複数のディスインセンティブルールは、ＯＢＳＳ再利用を禁止するためのディスインセンティブを提供するために、第１の送信機において適用され得る。【選択図】図４
2018533875.tif 000002
【特許請求の範囲】
【請求項１】
ワイヤレス通信のための方法であって：
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、を備え、ここにおいて、前記動的に禁止することは、同時の重複ＢＳＳ送信が禁止されることを示すフレームのプリアンブルにおける値を設定することを備える、
方法。
【請求項２】
前記第１の送信を前記識別することは、前記第１の送信の１つまたは複数の特性を識別することをさらに備え、前記動的に禁止することは、前記識別された１つまたは複数の特性に少なくとも部分的に基づく、請求項１に記載の方法。
【請求項３】
前記フレームの前記プリアンブルにおける前記値を前記設定することは、同時の重複ＢＳＳ送信が禁止されることを示す所定の値に前記第１の送信のデータフレームのプリアンブルにおけるカラーフィールドを設定することを備える、請求項１に記載の方法。
【請求項４】
前記フレームの前記プリアンブルにおける前記値を前記設定することは、前記フレームの前記プリアンブルにおけるフラグを設定することを備える、請求項１に記載の方法。
【請求項５】
前記動的に禁止することは、前記第１の送信機の前記送信に先行する送信可（ＣＴＳ）送信または送信要求（ＲＴＳ）送信のうちの１つまたは複数を送信することを備える、請求項１に記載の方法。
【請求項６】
前記ＲＴＳまたはＣＴＳ送信は、同時の送信がレガシ延期ルールに従って禁止されることを前記重複ＢＳＳの前記１つまたは複数の他の送信機に示す、請求項５に記載の方法。
【請求項７】
前記動的に禁止することは、前記第１の送信の間に送信されるデータフレームのプリアンブルにおける干渉しきい値を送信することを備え、前記干渉しきい値は、前記データフレームによって耐えられる干渉の量を示す、請求項１に記載の方法。
【請求項８】
前記動的に禁止することは、同時の重複ＢＳＳ送信が、ほとんど無いか全くない干渉の許可によって禁止されることを示すために前記干渉しきい値を低いレベルに設定することをさらに備える、請求項７に記載の方法。
【請求項９】
同時の送信を前記動的に禁止することに基づいて１つまたは複数のディスインセンティブルールを適用すること、をさらに備える、請求項１に記載の方法。
【請求項１０】
前記１つまたは複数のディスインセンティブルールがアクセスポイントによって構成され、前記第１のＢＳＳの１つまたは複数の局に送信される、請求項９に記載の方法。
【請求項１１】
前記１つまたは複数のディスインセンティブルールは、前記第１の送信機が同時の送信を禁止するパケットを送信する場合に、前記第１の送信機が前記重複ＢＳＳの送信機と同時に送信しないことを命令することを備える、請求項９に記載の方法。
【請求項１２】
前記１つまたは複数のディスインセンティブルールは、同時の送信が禁止されることのインジケーションなしで前記第１の送信が送信された場合に示される前記第１の送信のためのチャネル優先度より低いチャネル優先度を示すことを備える、請求項９に記載の方法。
【請求項１３】
前記１つまたは複数のディスインセンティブルールは、同時の送信が禁止されることを示すために使用され得る利用可能なワイヤレスリソースを利用可能なリソースのサブセットに制限することを備える、請求項９に記載の方法。
【請求項１４】
前記１つまたは複数の局の送信の間に送信することを前記重複ＢＳＳの他の送信機に動的に禁止することを、前記１つまたは複数の局に有効または無効にするために、前記第１のＢＳＳにおける１つまたは複数の局に、情報を、前記第１のＢＳＳにおけるアクセスポイント（ＡＰ）によって、送信することをさらに備える、請求項１に記載の方法。
【請求項１５】
前記有効にすることは、データフレーム特性を識別することに基づく、請求項１４に記載の方法。
【請求項１６】
前記情報は、前記１つまたは複数の局に送信されるシングルビットインジケータを備える、請求項１４に記載の方法。
【請求項１７】
前記情報は、前記１つまたは複数の局の送信の間に送信することを前記重複ＢＳＳの他の送信機に動的に禁止することを有効にするかどうかを決定するために、前記１つまたは複数の局による使用のための１つまたは複数のパラメータを備える、請求項１４に記載の方法。
【請求項１８】
前記１つまたは複数のパラメータは、ほとんど無いか全くない干渉の許可によって同時の送信を禁止するために低い値に設定される、または、より高いレベルの干渉の許可によって同時の送信を許可するために高い値に設定される、許可された干渉パラメータを備える、請求項１７に記載の方法。
【請求項１９】
データフレーム特性を識別すること、および、前記第１のＢＳＳにおける局の送信の間に送信することを前記重複ＢＳＳの他の送信機に動的に禁止することを、前記局に有効にするために、前記第１のＢＳＳにおけるアクセスポイントから情報を、前記局において、受信することをさらに備える、請求項１に記載の方法。
【請求項２０】
ワイヤレス通信のための装置であって、
プロセッサと、
前記プロセッサと電子通信状態にあるメモリと、
前記メモリに記憶され、前記プロセッサによって実行されたときに、前記装置に、
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、をさせるために実行可能である命令と、
を備え、ここにおいて、前記命令は、同時の重複ＢＳＳ送信が禁止されることを示すフレームのプリアンブルにおける値を設定することを前記装置に行わせることを、するために前記プロセッサによって実行可能である、
装置。
【請求項２１】
ワイヤレス通信のための装置であって、
第１の基本サービスセット（ＢＳＳ）の第１の送信機から送信される第１の送信を識別するための手段と、
前記第１の送信の間における前記第１の送信機と同時の送信を前記第１のＢＳＳと重複する重複ＢＳＳの１つまたは複数の他の送信機に動的に禁止するための手段と、を備え、ここにおいて、動的に禁止するための前記手段は、同時の重複ＢＳＳ送信が禁止されることを示すフレームのプリアンブルにおける値を設定するための手段を備える、
装置。
【請求項２２】
前記第１の送信を識別するための前記手段は、前記第１の送信の１つまたは複数の特性を識別するための手段を備え、
前記重複することの前記１つまたは複数の他の送信機を動的に禁止するための前記手段は、前記識別された１つまたは複数の特性に少なくとも部分的に基づく動作可能なＢＳＳである、請求項２１に記載の装置。
【請求項２３】
前記フレームの前記プリアンブルにおける前記値を設定するための前記手段は、
同時の重複ＢＳＳ送信が禁止されることを示す所定の値に前記第１の送信のデータフレームのプリアンブルにおけるカラーフィールドを設定するための手段を備える、請求項２１に記載の装置。
【請求項２４】
前記フレームの前記プリアンブルにおける前記値を設定するための前記手段は、
前記フレームの前記プリアンブルにおけるフラグを設定するための手段を備える、請求項２１に記載の装置。
【請求項２５】
動的に禁止するための前記手段は、
前記第１の送信機の前記送信に先行する送信可（ＣＴＳ）送信または送信要求（ＲＴＳ）送信のうちの１つまたは複数を送信するための手段を備える、請求項２１に記載の装置。
【請求項２６】
前記ＲＴＳまたはＣＴＳ送信は、同時の送信がレガシ延期ルールに従って禁止されることを前記重複ＢＳＳの前記１つまたは複数の他の送信機に示す、請求項２５に記載の装置。
【請求項２７】
動的に禁止するための前記手段は、
前記第１の送信の間に送信されるデータフレームのプリアンブルにおいて干渉しきい値を送信するための手段を備え、前記干渉しきい値は、前記データフレームによって耐えられる干渉の量を示す、請求項２１に記載の装置。
【請求項２８】
前記動的に禁止するための手段は、
同時の重複ＢＳＳ送信が、ほとんど無いか全くない干渉の許可によって禁止されることを示すために前記干渉しきい値を低いレベルに設定するための手段を備える、請求項２７に記載の装置。
【請求項２９】
同時の送信を前記動的に禁止することに基づいて１つまたは複数のディスインセンティブルールを適用するための手段、をさらに備える、請求項２１に記載の装置。
【請求項３０】
ワイヤレス通信のためのコードを記憶する非一時的コンピュータ可読媒体であって、前記コードは、
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、をするために実行可能な命令を備え、ここにおいて、前記コードは、同時の重複ＢＳＳ送信が禁止されることを示すフレームのプリアンブルにおける値を設定するために実行可能な命令を備える、非一時的コンピュータ可読媒体。
【発明の詳細な説明】
【関連出願の相互参照】
【０００１】
[0001]  本願は、２０１６年９月１２日に出願された「Dynamic Forbiddance of Wireless Transmissions by Overlapping Basic Service Sets」と題する、Zhou他による米国特許出願第１５／２６３，１０９号、および２０１５年１０月２８日に出願された「Dynamic Forbiddance of Wireless Transmissions by Overlapping Basic Service Sets」と題する、Zhou他による米国仮特許出願第６２／２４７，７１１号の優先権を主張し、これらの各々は、本譲受人に譲渡されている。
【技術分野】
【０００２】
[0002]  本開示は、例えば、ワイヤレス通信に関し、より具体的には、重複基本サービスセットによるワイヤレス送信の動的禁止のための技術に関する。
【背景技術】
【０００３】
[0003]  ワイヤレス通信システムは、音声、ビデオ、パケットデータ、メッセージング、ブロードキャストなどのようなさまざまなタイプの通信コンテンツを提供するために広く展開されている。これらのシステムは、利用可能なシステムリソース（例えば、時間、周波数、および電力）を共有することによって複数のユーザとの通信をサポートすることが可能である多元接続システムであり得る。
【０００４】
[0004]  ワイヤレスネットワーク（例えば、ワイヤレスローカルエリアネットワーク（ＷＬＡＮ)、例えば、ＩＥＥＥ８０２．１１規格群の１つまたは複数に従ったＷｉ−Ｆｉネットワーク）は、１つまたは複数の局（ＳＴＡ）またはモバイルデバイスと通信し得るアクセスポイント（ＡＰ）を含み得る。ＡＰは、ネットワーク、例えばインターネットに接続され得、局またはモバイルデバイスがネットワークを介して通信すること（または、サービスセット、例えば基本サービスセット（ＢＳＳ：basic service set）または拡張サービスセット（ＥＳＳ：extended service set）、におけるＡＰに接続された他のデバイスと通信すること）を有効にし得る。局は、関連付けられたＡＰと、双方向に通信し得る。例えば、局は、ダウンリンク（ＤＬ）およびアップリンク（ＵＬ）を介して関連付けられたＡＰと通信し得る。ＤＬ（または順方向リンク）は、ＡＰから局に送信を搬送する通信リンクに言及し得、ＵＬ（または逆方向リンク）は、局からＡＰに送信を搬送する通信リンクに言及し得る。
【０００５】
[0005]  通信帯域幅を強化するために、第１のＢＳＳの特定のＡＰまたはＳＴＡは、特定の状況における別のＢＳＳの他のＡＰまたはＳＴＡと同時に送信し得る。いくつかの場合において、他のＢＳＳは、第１のＢＳＳのカバレッジエリアと重複するカバレッジエリアを有する重複ＢＳＳ（ＯＢＳＳ：overlapping BSS）であり得る。ＯＢＳＳからの送信は、隣接するＢＳＳにおける送信に干渉し得る。従って、ＡＰまたはＳＴＡは、ＯＢＳＳをスキャンし得、ＯＢＳＳを識別することに少なくとも部分的に基づいて送信モード（例えば、４０ＭＨｚの動作）を有効または無効にし得る。いくつかの場合において、ＯＢＳＳ送信は、第１のＢＳＳにおける送信機の送信に干渉し得る。かくして、このような干渉を減じる技術は、有効なシステム動作のために有益であり得る。
【発明の概要】
【０００６】
[0006]  本開示のさまざまな態様は、第１の基本サービスセット（ＢＳＳ）における送信機の送信と同時の１つまたは複数の重複基本サービスセット（ＯＢＳＳ）の送信機によるワイヤレス送信の動的禁止のための、システム、方法、または装置に関する。いくつかの態様では、第１のＢＳＳの第１の送信機が、保護された送信となる送信を識別し得、その識別に基づいて、保護された送信と同時の送信を第１のＢＳＳと重複するＯＢＳＳの１つまたは複数の他の送信機に動的に禁止し得る。いくつかの例において、第１の送信機は、第１の送信の１つまたは複数の特性を識別し、識別された１つまたは複数の特性に基づいて送信することをＯＢＳＳの送信機に動的に禁止し得る。いくつかの例において、１つまたは複数の特性は、チャネル品質特性またはサービス品質（ＱｏＳ：quality of service）特性を含み得る。第１のＢＳＳの第１の送信機は、同時のＯＢＳＳ送信が禁止されることを示す（例えば、第１の送信における）フレームのプリアンブル(preamble)における値を設定し得る。ＯＢＳＳのアクセスポイント（ＡＰ：access point）または局（ＳＴＡ：station）は、第１の送信機からの送信の禁止のインジケーションを受信し得、その禁止に基づいて送信を延期するための延期ルールを適用し得る。特定の態様では、１つまたは複数のディスインセンティブルール(disincentive rules)が、ＯＢＳＳ送信を禁止するためのディスインセンティブを提供するために、第１の送信機において適用され得る。
【０００７】
[0007]  ワイヤレス通信の方法が説明される。方法は、第１のＢＳＳの第１の送信機から送信される第１の送信を識別することと、第１の送信の間における第１の送信機と同時の送信を、第１のＢＳＳと重複するＯＢＳＳの１つまたは複数の他の送信機に動的に禁止することと、を含み得る。いくつかの例において、動的に禁止することは、同時のＯＢＳＳ送信が禁止されることを示すフレームのプリアンブルにおける値を設定することを含み得る。
【０００８】
[0008]  ワイヤレス通信のための装置が説明される。装置は、第１のＢＳＳの第１の送信機から送信される第１の送信を識別するための手段と、第１の送信の間における第１の送信機と同時の送信を、第１のＢＳＳと重複するＯＢＳＳの１つまたは複数の他の送信機に動的に禁止するための手段と、を含み得る。いくつかの例において、動的に禁止するための手段は、同時のＯＢＳＳ送信が禁止されることを示すフレームのプリアンブルにおける値を設定するための手段を含み得る。
【０００９】
[0009]  さらなる装置が説明される。装置は、プロセッサ、プロセッサと電子通信状態にあるメモリ、およびメモリに記憶された命令を含み得る。命令は、第１のＢＳＳの第１の送信機から送信される第１の送信を識別することと、第１の送信の間における第１の送信機と同時の送信を、第１のＢＳＳと重複するＯＢＳＳの１つまたは複数の他の送信機に動的に禁止することと、を装置にさせるためにプロセッサによって実行可能であり得る。いくつかの例において、命令はまた、同時のＯＢＳＳ送信が禁止されることを示すフレームのプリアンブルにおける値を設定することを、装置にさせるためにプロセッサによって実行可能であり得る。
【００１０】
[0010]  ワイヤレス通信のための非一時的コンピュータ可読媒体が説明される。非一時的コンピュータ可読媒体は、第１のＢＳＳの第１の送信機から送信される第１の送信を識別することと、第１の送信の間における第１の送信機と同時の送信を、第１のＢＳＳと重複するＯＢＳＳの１つまたは複数の他の送信機に動的に禁止することと、をするために実行可能な命令を含み得る。いくつかの例において、非一時的コンピュータ可読媒体はまた、同時のＯＢＳＳ送信が禁止されることを示すフレームのプリアンブルにおける値を設定するために実行可能な命令を含み得る。
【００１１】
[0011]  上述の方法、装置、または非一時的コンピュータ可読媒体のいくつかの例において、第１の送信を識別することは、第１の送信の１つまたは複数の特性を識別することをさらに含み、動的に禁止することは、識別された１つまたは複数の特性に基づく。上述の方法、装置、または非一時的コンピュータ可読媒体のいくつかの例において、１つまたは複数の特性は、１つまたは複数のチャネル品質特性またはＱｏＳ特性を含む。
【００１２】
[0012]  上述の方法、装置、または非一時的コンピュータ可読媒体のいくつかの例において、１つまたは複数のチャネル品質特性は、関連するしきい値を超過するプロトコルデータユニット（ＰＤＵ）の失敗率、関連するしきい値を超過するＰＤＵエラー率、関連するしきい値を超過するＰＤＵリトライカウント（retry count）、信号対干渉および雑音比（ＳＩＮＲ：signal-to-interference-and-noise ratio）、受信信号強度インジケーション（ＲＳＳＩ：received signal strength indication）、または、関連するしきい値未満のサポートされる最大の変調および符号化スキーム（ＭＣＳ）（maximum supported modulation and coding scheme）、関連するしきい値を超過するバースト性干渉を受ける送信のパーセンテージ、しきい値を超過するデータペイロード対プリアンブル（data payload versus preamble）のＳＩＮＲ低下、または、関連するしきい値未満のアクセスされた通信時間、のうちの1つまたは複数を含む。
【００１３】
[0013]  上述の方法、装置、または非一時的コンピュータ可読媒体のいくつかの例において、１つまたは複数のＱｏＳ特性は、第１の送信機によって送信されるデータに関連付けられた送信優先度（transmission priority）または第１の送信機の送信において送信されるデータに関連付けられたレイテンシーのうちの１つまたは複数を含む。上述の方法、装置、または非一時的コンピュータ可読媒体のいくつかの例において、動的に禁止することは、ＯＢＳＳの送信機が、標準のプリアンブル検出（ＰＤ：preamble detection）レベルを使用し、データフレームのネットワーク割当てベクトル（ＮＡＶ）を遵守する（honor）べきであることのインジケーションを含み得る。
【００１４】
[0014]  上述の方法、装置、または非一時的コンピュータ可読媒体のいくつかの例において、フレームのプリアンブルにおける値を設定することは、同時のＯＢＳＳ送信が禁止されることを示す所定の値に第１の送信のデータフレームのプリアンブルにおけるカラーフィールドを設定することを含む。上述の方法、装置、または非一時的コンピュータ可読媒体のいくつかの例において、フレームのプリアンブルにおける値を設定することは、フレームのプリアンブルにおけるフラグを設定することを含む。
【００１５】
[0015]  上述の方法、装置、または非一時的コンピュータ可読媒体のいくつかの例において、動的に禁止することは、第１の送信機の送信に先行する送信可（ＣＴＳ：clear-to-send）送信または送信要求（ＲＴＳ：request-to-send）送信のうちの１つまたは複数を送信することを含む。上述の方法、装置、または非一時的コンピュータ可読媒体のいくつかの例において、ＲＴＳまたはＣＴＳ送信は、同時の送信がレガシ延期ルールに従って禁止されることをＯＢＳＳの１つまたは複数の送信機に示す。
【００１６】
[0016]  上述の方法、装置、または非一時的コンピュータ可読媒体のいくつかの例において、動的に禁止することは、送信の間に送信されるデータフレームのプリアンブルにおける干渉しきい値を送信することを含み、干渉しきい値は、データフレームによって耐えられる干渉の量を示す。上述の方法、装置、または非一時的コンピュータ可読媒体のいくつかの例において、動的に禁止することは、同時のＯＢＳＳ送信が、ほとんど無いか全くない（little or no）干渉の許可（allowance）によって禁止されることを示すために干渉しきい値を低いレベルに設定することをさらに含む。
【００１７】
[0017]  上述の方法、装置、または非一時的コンピュータ可読媒体のいくつかの例において、動的に禁止することは、同時の送信がレガシ延期ルールに従って禁止されることをＯＢＳＳの１つまたは複数の送信機に示す非高効率（非ＨＥ）フレームとして送信の間に第１の送信機によって送信されるデータフレームをフォーマットすることを含む。上述の方法、装置、または非一時的コンピュータ可読媒体のいくつかの例において、動的に禁止することは、非ＨＥフレームのプリアンブルにおけるフラグを設定することをさらに含む。
【００１８】
[0018]  上述の方法、装置、または非一時的コンピュータ可読媒体のいくつかの例において、フラグは、サービスフィールド、送信機アドレスフィールド、または受信機アドレスフィールドにおいて位置を特定されるビットである。上述された方法、装置、または非一時的コンピュータ可読媒体のいくつかの例は、同時の送信を動的に禁止することに基づいて、１つまたは複数のディスインセンティブルールを適用するためのプロセス、特徴、手段、または命令をさらに含み得る。
【００１９】
[0019]  上述の方法、装置、または非一時的コンピュータ可読媒体のいくつかの例において、１つまたは複数のディスインセンティブルールは、ＡＰによって構成され、第１のＢＳＳの１つまたは複数の局に送信される。上述の方法、装置、または非一時的コンピュータ可読媒体のいくつかの例において、１つまたは複数のディスインセンティブルールは、同時の送信が禁止されることをＯＢＳＳの１つまたは複数の送信機に示すために非ＨＥフレームが使用される場合、所定の期間において、非ＨＥデータフレームのみを送信することを含む。
【００２０】
[0020]  上述の方法、装置、または非一時的コンピュータ可読媒体のいくつかの例において、１つまたは複数のディスインセンティブルールは、同時の送信が禁止されることのインジケーションなしで第１の送信が送信された場合に示される第１の送信のためのチャネル優先度より低いチャネル優先度を示すことを含む。上述の方法、装置、または非一時的コンピュータ可読媒体のいくつかの例において、１つまたは複数のディスインセンティブルールは、同時の送信が禁止されることを示すために使用され得る利用可能なワイヤレスリソースを利用可能なリソースのサブセットに制限することを含む。
【００２１】
[0021]  上述の方法、装置、または非一時的コンピュータ可読媒体のいくつかの例において、方法は、第１のＢＳＳにおけるＡＰによって行われる。上述の方法、装置、または非一時的コンピュータ可読媒体のいくつかの例は、データフレーム特性を識別することを１つまたは複数の局に有効にし、１つまたは複数の局の送信の間に送信することをＯＢＳＳの他の送信機に動的に禁止するために、第１のＢＳＳにおける１つまたは複数の局に情報を、ＡＰによって、送信するためのプロセス、特徴、手段、または命令をさらに含み得る。
【００２２】
[0022]  上述の方法、装置、または非一時的コンピュータ可読媒体のいくつかの例において、情報は、１つまたは複数の局に送信されるシングルビットインジケータを含む。上述の方法、装置、または非一時的コンピュータ可読媒体のいくつかの例において、情報は、データフレーム特性の識別（ＩＤ）を有効にし、１つまたは複数の局の送信の間に送信することをＯＢＳＳの他の送信機に動的に禁止するかどうかを決定するために、１つまたは複数の局による使用のための１つまたは複数のパラメータを含む。
【００２３】
[0023]  上述の方法、装置、または非一時的コンピュータ可読媒体のいくつかの例において、１つまたは複数のパラメータは、許可された干渉パラメータを含み、それは、ほとんど無いか全くない干渉の許可によって同時の送信を禁止するために低い値に設定されるか、より高いレベルの干渉の許可によって同時の送信を許可するために高い値に設定される。上述の方法、装置、または非一時的コンピュータ可読媒体のいくつかの例において、方法は、第１のＢＳＳにおける局によって行われる。上述の方法、装置、または非一時的コンピュータ可読媒体のいくつかの例は、データフレーム特性を識別することを局に有効にし、局の送信の間に送信することをＯＢＳＳの他の送信機に動的に禁止するために、第１のＢＳＳにおけるＡＰから情報を、局において、受信するためのプロセス、特徴、手段、または命令をさらに含み得る。
【００２４】
[0024]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を果たすために、他の構造を変更または設計するための基礎として容易に利用され得る。このような等価な構成体（construction）は、添付の特許請求の範囲から逸脱しない。本書に開示される概念の特性、それらの構成および動作の方法の両方は、関連する利点とともに、添付の図に関連して検討された場合、以下の説明からより一層理解されるであろう。図の各々は、例示および説明を目的として提供されており、特許請求の範囲の限定の定義としては提供されない。
【００２５】
[0025]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００２６】
【図１】本開示のさまざまな態様に従って、ＷＬＡＮのブロック図を示す。
【図２】本開示のさまざまな態様に従って、１つまたは複数の重複基本サービスセット（ＯＢＳＳ）の送信機によるワイヤレス送信の動的禁止をサポートするＯＢＳＳを有するワイヤレス通信サブシステムの例を示す。
【図３】本開示のさまざまな態様に従って、１つまたは複数のＯＢＳＳの送信機によるワイヤレス送信の動的禁止をサポートするプロセスフローの例を例示する。
【図４】本開示のさまざまな態様に従って、ＯＢＳＳ送信禁止を識別するためのＷＬＡＮパケット構造の例を例示する。
【図５Ａ】本開示のさまざまな態様に従ってＯＢＳＳ送信禁止の態様を例示する。
【図５Ｂ】本開示のさまざまな態様に従ってＯＢＳＳ送信禁止の態様を例示する。
【図５Ｃ】本開示のさまざまな態様に従ってＯＢＳＳ送信禁止の態様を例示する。
【図５Ｄ】本開示のさまざまな態様に従ってＯＢＳＳ送信禁止の態様を例示する。
【図６】本開示の態様に従って、ＯＢＳＳによるワイヤレス送信の動的禁止をサポートするワイヤレスデバイスのブロック図を示す。
【図７】本開示の態様に従って、ＯＢＳＳによるワイヤレス送信の動的禁止をサポートするワイヤレスデバイスのブロック図を示す。
【図８】本開示の態様に従って、ＯＢＳＳによるワイヤレス送信の動的禁止をサポートするワイヤレスデバイスのブロック図を示す。
【図９】本開示の態様に従って、ＯＢＳＳによるワイヤレス送信の動的禁止をサポートする局（ＳＴＡ）を含むシステムのブロック図を例示する。
【図１０】本開示の態様に従って、ＯＢＳＳによるワイヤレス送信の動的禁止をサポートするＡＰを含むシステムのブロック図を例示する。
【図１１】本開示の態様に従って、ＯＢＳＳによるワイヤレス送信の動的禁止のための方法を例示する。
【図１２】本開示の態様に従って、ＯＢＳＳによるワイヤレス送信の動的禁止のための方法を例示する。
【図１３】本開示の態様に従って、ＯＢＳＳによるワイヤレス送信の動的禁止のための方法を例示する。
【図１４】本開示の態様に従って、ＯＢＳＳによるワイヤレス送信の動的禁止のための方法を例示する。
【発明を実施するための形態】
【００２７】
[0035]  説明される特徴は、概して、重複基本サービスセット（ＯＢＳＳ）
によるワイヤレス送信の動的禁止のための改良されたシステム、方法、および／または装置に関する。
いくつかの態様では、第１の基本サービスセット（ＢＳＳ）の第１の送信機が、保護された送信となる送信を識別し得、その識別に基づいて、保護された送信と同時の送信を第１のＢＳＳと重複するＯＢＳＳの１つまたは複数の他の送信機に動的に禁止し得る。例えば、第１の送信機、例えば、第１のＢＳＳのアクセスポイント（ＡＰ）または局（ＳＴＡ）は、高い信頼性の送信がデータに求められることを示すサービス品質（ＱｏＳ）パラメータを有するデータを有し得る。ＯＢＳＳ送信機が第１の送信機からのデータの送信と同時の送信のためのワイヤレスチャネルを再利用する場合、データの信頼性の高い搬送が、損なわれ得る。いくつかの例において、第１の送信機は、より信頼性の高い搬送を確実にするのを助けるために、データの送信の間に送信することを、ＯＢＳＳの送信機に動的に禁止し得る。
【００２８】
[0036]  特定の例において、第１の送信機は、ワイヤレスチャネルのチャネルコンディションに基づいてＯＢＳＳ再利用が禁止されるべきであることを決定し得る。例えば、第１の送信機が受信の肯定応答を受信すること無しに特定数の連続した送信を持った場合、ＯＢＳＳ再利用が送信に干渉することが起こりやすく、第１の送信機は、ＯＢＳＳ再利用が禁止されるべきであることを決定し得る。他の例では、他のチャネル品質測定、いくつか例を挙げると、例えば、失敗率、エラー率、リトライカウント、または信号強度などが使用され得る。
【００２９】
[0037]  いくつかの例において、第１の送信機は、フレームのプリアンブルにおける値を設定することによって、または同時のＯＢＳＳ送信が禁止されることを示すインジケーションをデータフレーム送信のフィールドに含むことによって、ＯＢＳＳ再利用が禁止されることを示し得る。他の例において、第１の送信機は、送信要求（ＲＴＳ）送信、送信可（ＣＴＳ）送信、ＣＴＳツーセルフ（ＣＴＳ２Ｓｅｌｆ）送信の送信によってＯＢＳＳ再利用が禁止されることを示し得る。さらに他の例において、第１の送信機は、非高効率（非ＨＥ）フレームの送信によってＯＢＳＳ再利用が禁止されることを示し得る。ＯＢＳＳのＡＰまたはＳＴＡは、第１の送信機からの送信の禁止のインジケーションを受信し得、その禁止に基づいて送信を延期するための延期ルールを適用し得る。いくつかの態様において、これらの延期ルールは、Ｗｉ-Ｆｉネットワークが従来の基準において（例えば、ＩＥＥＥ８０２．１１ａｃ、および以前に）使用してきたものと同じ延期ルールである。特定の態様では、１つまたは複数のディスインセンティブルールが、第１の送信機、または第１のＢＳＳ、において適用され得、ＯＢＳＳ送信を禁止するためのディスインセンティブをもたらし得る。
【００３０】
[0038]  以下の説明は、例を提供するものの、特許請求の範囲に記載されている範囲、適用可能性、または例を限定しない。論述される要素の機能および配置の変更が、本開示の範囲から逸脱することなく、為され得る。さまざまな例は、適宜、さまざまなプロシージャまたはコンポーネントを省略、代用、あるいは追加し得る。例えば、説明される方法は、説明される順序とは異なる順序で行われ得、さまざまなステップが追加、省略、または組み合わされ得る。また、いくつかの例に関して説明される特徴は、他の例において組み合され得る。
【００３１】
[0039]  図１は、本開示の態様に従って、ＯＢＳＳによるワイヤレス送信の動的禁止をサポートするワイヤレスローカルエリアネットワーク（ＷＬＡＮ）１００（ワイヤレスフィディティ（Ｗｉ-Ｆｉ）ネットワークとしても知られる）を例示する。ＷＬＡＮネットワーク１００は、ＡＰ１０５、および複数の関連するＳＴＡ１１０、例えばＳＴＡ＿１乃至ＳＴＡ＿６、を含み得、それらは、デバイス、例えば移動局、パーソナルデジタルアシスタント（ＰＤＡ）、他のハンドヘルドデバイス、ネットブック、ノートブックコンピュータ、タブレットコンピュータ、ラップトップ、ディスプレイデバイス（例えばＴＶ、コンピュータモニタなど）、プリンタなど、を表し得る。ＡＰ１０５および関連する局１１０は、ＢＳＳまたはＥＳＳを表し得る。ネットワークにおけるさまざまなＳＴＡ１１０は、ＡＰ１０５を通じて互いに通信することが可能である。また、ＡＰ１０５のカバレッジエリア１２５が示され、それは、ＷＬＡＮネットワーク１００の基本サービスエリア（ＢＳＡ）を表し得る。ＷＬＡＮネットワーク１００に関連付けられた拡張ネットワーク局（図示されていない）は、複数のＡＰ１０５がＥＳＳにおいて接続されることを許可し得る有線の、または無線の分配システム（ＤＳ）に接続され得る。
【００３２】
[0040]  図１に図示されていないが、ＳＴＡ１１０は、２つ以上のカバレッジエリア１２５の交わる部分において位置を特定され得、２つ以上のＡＰ１０５に関連付けし得る。単一のＡＰ１０５およびＳＴＡ１１０の関連付けられたセットは、ＢＳＳとも呼ばれ得る。ＥＳＳは、接続されたＢＳＳのセットである。ＤＳは、ＥＳＳにおいてＡＰ１０５を接続するために使用され得る。いくつかの場合において、ＡＰ１０５のカバレッジエリア１２５は、複数のセクタに分割され得る。ＷＬＡＮネットワーク１００は、（例えば、大都市圏、家庭内ネットワークなどの）異なるタイプのＡＰ１０５を、種々のおよび重複するカバレッジエリア１２５とともに、含み得る。２つのＳＴＡ１１０はまた、両方のＳＴＡ１１０が同じカバレッジエリア１２５にあるかどうかに関わらず、ダイレクトワイヤレスリンク１２０を介して直接通信し得る。ダイレクトワイヤレスリンク１２０の例は、Ｗｉ−Ｆｉダイレクト接続、Ｗｉ−Ｆｉトンネルダイレクトリンクセットアップ（ＴＤＬＳ：Wi-Fi Tunneled Direct Link Setup）リンク、および他のグループ接続を含み得る。ＳＴＡ１１０およびＡＰ１０５は、物理（ＰＨＹ）および媒体アクセス制御（ＭＡＣ）レイヤに関わるＷＬＡＮ無線およびベースバンドプロトコルに従って通信し得る。他の実施形態では、ピアツーピア接続またはアドホックネットワークが、ＷＬＡＮネットワーク１００内で実施され得る。
【００３３】
[0041]  カバレッジエリアが互いに重複する複数のＢＳＳに関連付けられる場合、ＢＳＳは、上述のように、ＯＢＳＳと呼ばれ得る。各ＢＳＳにおけるＳＴＡのうちのいくつかのみが重複する場合でも、ＢＳＳが重複していると見なされ得ることに、留意されたい。これらの例では、ＳＴＡ１１０が、他のＯＢＳＳからの干渉する送信が存在する間に、ＡＰ１０５と通信し得る。いくつかの場合において、ＳＴＡ１１０は、ＯＢＳＳからの（例えば、クリアチャネルアセスメント（ＣＣＡ）間の）干渉する送信を検出し得る。この例はＳＴＡ１１０に関して説明されているが、同様の技術が、ＡＰ１０５によっても使用され得る。干渉する送信を検出した後に、ＳＴＡ１１０は、次に、干渉する送信がＯＢＳＳに関連付けられているかどうかを識別し得る。干渉する送信がＯＢＳＳに関連付けられていない場合(例えば、現在のＢＳＳにおける他のワイヤレスデバイスからの送信)、ＳＴＡ１１０は、その送信に従うべきである。
【００３４】
[0042]  他の場合において、干渉する送信がＯＢＳＳに関連付けられていることを識別した後、ＳＴＡ１１０は、干渉する送信の受信信号強度インジケーション（ＲＳＳＩ）またはパワー密度を、ＯＢＳＳしきい値と比較し得る。ＲＳＳＩまたはパワー密度がＯＢＳＳしきい値を上回る場合、ＳＴＡ１１０は、コリジョンベースのプロトコルに従って送信することをやめ得る。逆に、ＲＳＳＩまたはパワー密度がＯＢＳＳしきい値を下回る場合、ＳＴＡ１１０は、干渉する送信と同時にＡＰ１０５への送信を行い得る。この方法で、ＯＢＳＳは、通信リソースを再利用し、かつネットワークにおけるスループットを増大させ得る。干渉する送信は、ＷＬＡＮパケットを含み得、それは、プリアンブルおよびデータ領域を含み得る。いくつかの例において、ＳＴＡ１１０は、ＯＢＳＳパケットの上で送信できるように、それの送信パワーを減じてＯＢＳＳしきい値を増大させ得る。
【００３５】
[0043]  従って、ワイヤレスデバイス、例えば、ＡＰ１０５またはＳＴＡ１１０は、ワイヤレスリソースを有効に再利用し、ネットワーク効率を向上させ得る。いくつかの場合では、受信機、例えば、ＳＴＡ１１０が、ＯＢＳＳ送信機の比較的近くで位置を特定され得、比較的離れたＡＰ１０５に関連付けられ得る。しかしながら、ＯＢＳＳ送信機は、再利用を許可するＯＢＳＳ送信として、ＡＰ１０５からの送信を識別し、ＡＰ１０５と同時に送信し、ＳＴＡ１１０における送信の受信に干渉し得る。本開示のさまざまな態様は、ＯＢＳＳ再利用を禁止し、ＳＴＡ１１０がそれの関連付けられたＡＰ１０５からの送信をより確実に受信することを有効にする技術を、送信機、例えば、第１のＢＳＳのＳＴＡ１１０またはＡＰ１０５に、提供する。いくつかの例では、ＳＴＡ１１０の１つまたは複数が、ＯＢＳＳ禁止コンポーネント１３０−ａを含み得、それは、ＯＢＳＳ送信の動的禁止を管理する。同様に、ＡＰ１０５は、ＯＢＳＳ禁止コンポーネント１３０−ｂを含み得、それは、ＯＢＳＳ送信の動的禁止を管理する。
【００３６】
[0044]  図２は、本開示のさまざまな態様にしたがった、ＯＢＳＳによるワイヤレス送信の動的禁止をサポートする、ＯＢＳＳを有するワイヤレス通信サブシステム２００の例を示す。ワイヤレス通信サブシステム２００は、第１のＳＴＡ１１０−ａ、第２のＳＴＡ１１０−ｂ、第１のＡＰ１０５−ａ、および第２のＡＰ１０５−ｂを含み得、それらは、図１を参照して上述されたように、ＳＴＡ１１０またはＡＰ１０５の例であり得、互いに通信し得る。１つの例において、第１のＡＰ１０５−ａおよび第１のＳＴＡ１１０−ａは、カバレッジエリア１２５−ａを有する第１のＢＳＳに関連付けられ得るが、第２のＡＰ１０５−ｂおよび第２のＳＴＡ１１０−ｂは、重複するカバレッジエリア１２５−ｂを有する第２のＯＢＳＳに関連付けられ得る。
【００３７】
[0045]  この例において、第１のＳＴＡ１１０−ａは、それの関連付けられた第１のＡＰ１０５−ａに対してよりも第２のＡＰ１０５−ｂに対してより近くに位置を特定され得る。しかしながら、第２のＡＰ１０５−ｂは、再利用を許可し、第１のＡＰ１０５−ａの第１の送信２０５と同時に第２のＳＴＡ１１０−ｂに第２の送信２１０を送信するＯＢＳＳ送信として、第１のＡＰ１０５−ａからの第１の送信２０５を識別し得る。第２のＡＰ１０５−ｂに対する第１のＳＴＡ１１０−ａの比較的近い近接性により、同時の第２の送信２１０は、第１の送信２０５の受信との干渉を生じさせ得、第１のＳＴＡ１１０−ａにおける第１の送信２０５の受信失敗をもたらし得る。このような状況は、ワイヤレスチャネルの過剰な再利用を招き得、ネットワーク性能を低下させ得る。上述されたように、本開示のいくつかの態様において、第１のＢＳＳの第１のＳＴＡ１１０−ａまたは第１のＡＰ１０５−ａは、ＯＢＳＳ再利用を禁止し得、かくして、第２のＡＰ１０５−ｂに、第１の送信２０５と同時に第２の送信２１０を送信することを禁止する。第１のＢＳＳの第１のＳＴＡ１１０−ａまたは第１のＡＰ１０５−ａは、同時のＯＢＳＳ送信が禁止されることを示す（例えば、第１の送信２０５における）フレームのプリアンブルにおける値を設定することによってＯＢＳＳ再利用を禁止し得る。このような技術は、第１のＡＰ１０５−ａからの第１の送信２０５をより確実に受信することを第１のＳＴＡ１１０−ａに可能にし得る。
【００３８】
[0046]  図３は、本開示のさまざまな態様に従って、ＯＢＳＳ送信機によるワイヤレス送信の動的禁止のためのプロセスフロー３００の例を例示する。プロセスフロー３００は、ＳＴＡまたはＡＰによって行われ得、それらは通例送信機と呼ばれ、図１および２を参照して上述されたＳＴＡ１１０およびＡＰ１０５の例であり得る。送信機は、ブロック３０５に示されるように、送信されるデータを識別し得る。データは、例えば、受信機（例えば、データを受信するＡＰまたはＳＴＡ）にＢＳＳのワイヤレスチャネル上で送信され、送信機上で実行するアプリケーションによって、提供され得る。いくつかの例では、ＡＰが、生じ得るＳＴＡとのデータ交換を識別し得、送信されるデータが、ＡＰによって送信されるデータとＳＴＡによって送信されるデータとの両方を含み得る。他の例では、ＳＴＡが、ＡＰに周期的に特定のデータを送信するように構成され得る。
【００３９】
[0047]  ブロック３１０において、送信機は、いくつかの例で、データの送信に関連付けられた送信メトリックを識別し得る。例えば、送信機は、送信メトリックとして、チャネル品質特性、ＱｏＳ特性、またはそれらの組み合わせを識別し得る。チャネル品質特性は、例えば、いくつかの例を挙げると、特定の受信機への事前送信に関連付けられたプロトコルデータユニット（ＰＤＵ）失敗率、受信機への事前送信に関連付けられたＰＤＵエラー率、受信機に関連付けられたＰＤＵリトライカウント、信号対干渉および雑音比（ＳＩＮＲ）、ＲＳＳＩ、サポートされる最大の変調および符号化スキーム（ＭＣＳ）、バースト性干渉を受ける送信のパーセンテージ、データペイロード対プリアンブルのＳＩＮＲ低下、またはアクセスされた通信時間、を含み得る。ＱｏＳ特性は、例えば、識別されたデータに関連付けられたＱｏＳ、例えば、識別されたデータに関連付けられたレイテンシー、または、識別されたデータに関連付けられた送信優先度を含み得る。
【００４０】
[0048]  ブロック３１５において、送信機は、１つまたは複数のメトリックがそのメトリックに関連付けられたしきい値を超過するかどうかを決定し得る。例えば、送信機は、しきい値数の連続した送信の受信の肯定応答を受信しなかった場合、送信機は、ＰＤＵ失敗率がしきい値を超過することを決定し得る。同様に、肯定応答無しの特定の期間（例えば、セット数のビーコン期間）におけるＰＤＵのパーセンテージが関連するしきい値を超過する場合、送信機は、ＰＤＵ失敗率がしきい値を超過することを決定し得る。同様のしきい値は、チャネル品質またはＱｏＳ特性のどちらかのために規定され得る。
【００４１】
[0049]  １つまたは複数のメトリックが関連するしきい値を超過しないことが決定される場合、送信機は、ブロック３２０に示されるように、ＯＢＳＳ再利用を許可する送信としてデータの送信を識別し得る。このような決定は、例えば、１つまたは複数のＯＢＳＳ送信機が１つまたは複数の受信機と送信機との間の送信にあまり大きく干渉しないことの結果であり得る。
【００４２】
[0050]  ブロック３２５において、送信機は、ＯＢＳＳ再利用を許可する第１の送信をフォーマットし得る。このようなフォーマットすること化は、フレームのプリアンブルにおける値を設定することによって、または、送信されるデータの全てのうちの一部を含むデータフレームにおける１つまたは複数のフィールドによって、例えば、ＯＢＳＳ再利用が許可されることを示すためにデータフィールドにおけるフラグを設定することによって、為され得る。いくつかの例では、ＷｉＦｉデータフレームにおけるカラーフィールドが、ワイヤレスチャネルを再利用することをＯＢＳＳ送信機に許可するように選択され得る。ＯＢＳＳの送信機がこのような送信を受信する場合、ＯＢＳＳ送信機は、識別されたデータの送信と同時の送信を送信し得る。
【００４３】
[0051]  ブロック３１５において１つまたは複数のメトリックが関連するしきい値を超過することが決定される場合、送信機は、その送信をＯＢＳＳ送信再利用禁止送信として識別し得る。このような決定は、例えば、１つまたは複数のＯＢＳＳ送信機が１つまたは複数の受信機と送信機との間の送信に相当の干渉を生じさせることの結果であり得る。いくつかの例では、送信機が、ブロック３１０および３１５の動作をスキップし、単に各送信をＯＢＳＳ再利用禁止送信として識別し得る。このような送信機は、例えば、制限されたパワー容量を有する、比較的送信頻度の低い、および／または、高いチャネル優先度の高ＱｏＳ要件を有するデータを送信する、送信機（例えば、組み込みデバイス中の送信機）であり得る。
【００４４】
[0052]  ブロック３３５において、送信機は、ＯＢＳＳ再利用を禁止する第１の送信をフォーマットし得る。このようなフォーマットすること(formatting)は、いくつかの例において、ＯＢＳＳ再利用が禁止されることを示す、第１の送信のＷＬＡＮフレームのプリアンブルにおける値を設定することを含み得る。いくつかの場合において、ＷＬＡＮフレームは、高効率（ＨＥ）ＷＬＡＮフレームであり得、ＨＥ ＷＬＡＮフレームは、ＯＢＳＳ再利用が禁止されることを示す値を含むようにフォーマットされ得る。例えば、このようなＨＥ ＷＬＡＮフレームは、同時のＯＢＳＳ送信、またはＯＢＳＳ再利用送信、が禁止されることを示す所定の値を有する、フレームのプリアンブルにおけるカラーフィールドで、フォーマットされ得る。このようなカラーフィールドは、ＨＥ ＷＬＡＮプリアンブルに含まれ得、フレームがＨＥフォーマットでない場合は、ＢＳＳの識別子であり得る。カラーフィールドの値は、ＢＳＳのメンバーによって生成される全てのＷＬＡＮ ＰＤＵに含まれるＢＳＳの、固有のまたは固有でない識別子であり得る。ＨＥダウンリンク（ＤＬ）ＷＬＡＮ ＰＤＵのためのカラーフィールドの値は、ＢＳＳ初期化の間にＡＰによって選択され得、ＢＳＳの存在の持続時間の間において、維持され得る。ＨＥアップリンク（ＵＬ）ＷＬＡＮ ＰＤＵのためのカラーフィールドの値は、局が関連付けられるＡＰから最も最近受信されたフレームに関連付けられたカラーフィールドの値に、または、局がメンバーであるＯＢＳＳのビーコンにおいて示されるカラーフィールドの値に、非ＡＰ局によって設定され得る。いくつかの例では、共通のリザーブされた「再利用禁止」カラーが、再利用が禁止されることを示すためにカラーフィールドにおいて使用され得る。
【００４５】
[0053]  いくつかの例において、第１の送信のフォーマットすることは、ＯＢＳＳ再利用が禁止されることを示すＷＬＡＮフレームのプリアンブルにおけるフラグを設定することを含み得る。このようなフラグは、例えば、ＷＬＡＮプリアンブルの別個のフィールドにおける１つまたは複数のビットとして含まれ得、または、ＷＬＡＮプリアンブルのまた別のフィールドにおける１つまたは複数のビットとして含まれ得る。いくつかの例では、このようなインジケーションが、ＷＬＡＮフレームのＰＨＹヘッダにおける１つのビットとして提供され得る。
【００４６】
[0054]  他の例において、第１の送信のフォーマットすることは、識別されたデータを含むＷＬＡＮフレームの送信に先行するＲＴＳまたはＣＴＳ（ＣＴＳ２Ｓｅｌｆを含む）送信のうちの１つまたは複数を含むように送信をフォーマットすることを含み得る。ＲＴＳまたはＣＴＳ送信は、例えば、同時の送信が禁止されることをＯＢＳＳ送信機に示し得る。このような例において、ＯＢＳＳ再利用の禁止は、関連するＲＴＳ／ＣＴＳ送信によって、全ての送信に対して標準化され得る。または、より簡潔には、標準の延期ルールがレガシＲＴＳ／ＣＴＳに適用される場合、ＯＢＳＳ送信は、レガシＲＴＳ／ＣＴＳによって保護される送信の上では再利用せず、かくして、レガシＲＴＳ／ＣＴＳは、送信のための保護メカニズムとして作用する。
【００４７】
[0055]  さらに他の例において、第１の送信のフォーマットすることは、ＷＬＡＮフレームのプリアンブルにおける干渉しきい値を含むように送信をフォーマットすることを含み得る。このような干渉しきい値は、データフレームによって耐えられる干渉の量を示し得、特定の送信において生成され得る干渉の量を動的に調整するために使用され得る。例えば、耐えられる干渉レベルは、比較的低く設定されて、ＯＢＳＳ送信機がいかなる送信を行うことも有効に阻止し得るか、他のＯＢＳＳ送信再利用パラメータ（例えば、ＯＢＳＳパワー密度しきい値）が満たされる場合は、任意のＯＢＳＳ再利用を有効に許可するように比較的高く設定され得る。
【００４８】
[0056]  いくつかのさらなる例において、送信機は、ＯＢＳＳ再利用が禁止されることを示すために非ＨＥフレームとしてデータフレームをフォーマットし得る。このような例において、ＯＢＳＳ再利用の禁止は、非ＨＥフレームにおける特別なインジケーションが無い限り、関連する非ＨＥフレームによって全ての送信に対して標準化され得る。他の例では、非ＨＥフレームが、例えば、サービスフィールド、送信機アドレスフィールド、または受信機アドレスフィールドにおいて位置を特定されるビットのような、ＯＢＳＳ再利用が禁止されるか禁止されないかを示す非ＨＥフレームのプリアンブルにおけるフラグを含み得る。またさらなる例では、ＯＢＳＳ再利用が禁止されることを示すためにＲＴＳ／ＣＴＳ送信によって非ＨＥフレームが先行され得、ＯＢＳＳ送信機がＲＴＳ／ＣＴＳ送信を検出する場合、再利用を提供しないように基準が確立される。
【００４９】
[0057]  ブロック３４０において、送信機は、第１の送信を送信し得る。第１の送信がＯＢＳＳ再利用を禁止するようにフォーマットされる場合、第１の送信を受信するＯＢＳＳ送信機は、ＯＢＳＳ再利用に関連付けられた延期ルールを適用し得る。このような延期ルールは、ＯＢＳＳ送信機が標準のプリアンブル検出（ＰＤ）レベル（例えば、−８２ｄＢｍのＰＤレベル）を使用し、規定されたレガシＷＬＡＮ送信において使用されるような、データフレームのネットワーク割当てベクトル（ＮＡＶ）を遵守することを提供し得る。
【００５０】
[0058]  いくつかの例において、送信機が再利用禁止フォーマット／インジケーションを有する第１の送信を送信する場合、送信機はまた、送信機がＯＢＳＳ再利用を禁止すること阻止するように設定された１つまたは複数のディスインセンティブルールを適用し得る。このようなディスインセンティブルールは、例えば、ＡＰによって適用され、またはＡＰによって構成され、およびＳＴＡに送信され得る。このようなディスインセンティブルールはまた、デバイス中で前もってプログラムされ得る。このようなディスインセンティブルールは、例えば、送信機が、前述の方法のいずれかを使用して、それのパケットにおける再利用を禁止する場合に、それ自体はＯＢＳＳパケットの上で再利用しないことを命令することを含み得る。このディスインセンティブは、パケットごと、期間ごと、セッションごと、ノードごとに、適用され得る。例えば、１つの例で、ＯＢＳＳパケットにおいて再利用しないように命令することは、送信機が、再利用を禁止する保護されたパケットを送っているときのみ、適用され得る。別の例で、送信機が特定の期間においてそれのパケットにおいて再利用を禁止する場合、それは、その期間においてＯＢＳＳ送信において再利用しない。別の例で、送信機が特定のフローのいくつかのパケットにおける再利用を禁止する場合、それは、そのフローの任意のパケットを送るためにＯＢＳＳパケットの上において再利用し得る。別の例で、送信機が再利用を禁止する保護されたパケットを送る場合、それは、決してＯＢＳＳパケットの上で再利用しない。
【００５１】
[0059]  他の例において、ディスインセンティブルールは、チャネル優先度調整ルールを含み得、ここにおいて、第１の送信がＯＢＳＳ再利用を禁止することなく送信される場合に適用されるチャネル優先度より、低いチャネル優先度が、ＯＢＳＳ送信を禁止する第１の送信のために、適用される。例えば、エンハンスド分配チャネルアクセス（ＥＤＣＡ：enhanced distributed channel access）は、特定のアクセスクラス（ＡＣ）のためにあまりアグレッシブでない値に設定され得、それは、よりアグレッシブな値のための競合ウインドウ（ＣＷ）より高い最大値で設定された関連するＣＷをもたらし得る。さらなる例において、ディスインセンティブルールは、ＯＢＳＳ禁止送信のために使用され得る利用可能なワイヤレスリソースを制限すること（例えば、送信の特定のパーセンテージ、特定の直交周波数分割多元接続（ＯＦＤＭＡ）帯域、または特定の期間）を含み得、それは、利用可能なワイヤレスリソースのサブセット（例えば５％または１０％または利用可能なリソース）であり得る。特定の例において、送信機がＯＢＳＳ再利用を禁止する送信を送る場合、送信機は、ディスインセンティブルールに基づいて選択され得る期間において、ＯＢＳＳ再利用自体を用いることが許可されない（例えば、所定の期間において、または、ＯＢＳＳ再利用が禁止された状態でデータフレームを送信する間のみ、ＯＢＳＳ再利用を用いない）。
【００５２】
[0060]  述べられたように、プロセスフロー３００は、ＢＳＳにおけるＳＴＡまたはＡＰによって使用され得る。いくつかの例では、ＡＰが、ＯＢＳＳ再利用の禁止を有効または無効にするようにＢＳＳのＳＴＡを構成し得る。例えば、ＡＰは、ＯＢＳＳ再利用を禁止するようにＳＴＡが送信をフォーマットすることを許可するために、再利用禁止または「ＦＲ」が許可されたインジケータ（例えば１ビットのインジケータ）をＢＳＳにおけるＳＴＡに送信し得る。いくつかの例において、ＡＰは、ＯＢＳＳ再利用の禁止を有効または無効にするように、ＳＴＡごとにＳＴＡを構成し得る。他の例で、ＡＰは、ＯＢＳＳ再利用を禁止するかどうかを決定するときにＳＴＡによる使用のためのガイドラインのセットを提供し得、ＳＴＡは、ガイドラインを考慮して保護を使用するかどうかを決定し得る。他の例で、ＡＰは、ＳＴＡがＯＢＳＳ再利用を禁止するかどうかをそれ自体で決定することを単に有効にし得、それはまた、ＳＴＡごとに為され得る。特定の例で、ＡＰは、ＢＳＳのＳＴＡにインジケータをブロードキャスト／ユニキャスト／マルチキャストし得る（例えば、ＡＰは、ビーコン送信においてインジケータをブロードキャストできる）。いくつかの例で、管理されたネットワークは、複数の管理されたＢＳＳを含み得、このような管理されたネットワークにおいて、「再利用禁止（forbid reuse）」が、対応するインジケータを送るように全てのＡＰを構成することによってネットワーク全体にわたって許可／却下され得る。管理されたネットワークでは、過剰再利用の問題が、周波数チャネル計画におけるより多くの制御によって軽減され得、そのため「再利用禁止」は、再利用の増大を最大限にすることを、却下され得る。さらなる例では、ＡＰが、「許可された干渉」インジケータを、（非常に制限された再利用を許可する、またはいかなる再利用も許可しないために）非常に低くなるように、（再利用を許可するために）非常に高くなるように構成することによって、あるいは、（制限された再利用を許可するために）レベルを中間に変えることによって、再利用がネットワークにおいて許可されるかどうかを管理し得る。
【００５３】
[0061]  図４は、本開示のさまざまな態様に従って、ＡＰと局との間の通信のために使用可能なＷＬＡＮ ＰＤＵ４００（例えば、物理レイヤコンバージェンスＰＤＵ（ＰＰＤＵ））の例を示す。ＡＰは、図１乃至３を参照して説明されたＡＰ１０５の態様の例であり得、局は、図１乃至３を参照して説明された局１１０の態様の例であり得る。
【００５４】
[0062]  ＷＬＡＮ ＰＤＵ４００は、物理（ＰＨＹ）レイヤヘッダ４６０およびデータフィールド４１５（例えば、ＭＡＣ ＰＤＵ（ＭＰＤＵ）または物理レイヤサービスデータユニット（ＰＳＤＵ））を含み得る。物理レイヤヘッダ４６０は、レガシＷＬＡＮプリアンブル４０５および／またはＨＥ ＷＬＡＮプリアンブル４１０を含み得る。プリアンブルおよびデータフィールドは、次の順番で送信され得る：レガシＷＬＡＮプリアンブル４０５、ＨＥ ＷＬＡＮプリアンブル４１０、データフィールド４１５。
【００５５】
[0063]  ＷＬＡＮ ＰＤＵ４００は、無線周波数スペクトル帯域上で送信され得、それは、いくつかの例で、複数のサブバンドを含み得る。いくつかの例において、無線周波数スペクトル帯域は、８０ＭＨｚの帯域幅を有し得、サブバンドの各々は、４０ＭＨｚの帯域幅を有し得る。
【００５６】
[0064]  レガシＷＬＡＮプリアンブル４０５は、レガシショートトレーニングフィールド（ＳＴＦ）（Ｌ−ＳＴＦ）情報４２０、レガシロングトレーニングフィールド（ＬＴＦ）（Ｌ−ＬＴＦ）情報４２５、および／またはレガシシグナリング（Ｌ−ＳＩＧ）情報４３０を含み得る。無線周波数スペクトル帯域が複数のサブバンドを含む場合、Ｌ−ＳＴＦ、Ｌ−ＬＴＦおよびＬ−ＳＩＧ情報は、複数のサブバンドの各々において、複製および送信され得る。
【００５７】
[0065]  ＨＥ ＷＬＡＮプリアンブル４１０は、レガシＷＬＡＮシグナリングフィールド（ＲＬ−ＳＩＧ）４３５、第１のＷＬＡＮシグナリングフィールド４４０（例えば、（ＨＥ−ＳＩＧ−Ａとラベル付けされる）第１のＨＥ ＷＬＡＮシグナリングフィールド）、第２のＷＬＡＮシグナリングフィールド４４５（例えば、（ＨＲ−ＳＩＧ−Ｂとラベル付けされる）第２のＨＥ ＷＬＡＮシグナリングフィールド）、ＷＬＡＮ ＳＴＦ（例えば、ＨＥ−ＳＴＦ４５０とラベル付けされるＨＥ ＷＬＡＮ ＳＴＦ）、少なくとも１つのＷＬＡＮ ＬＴＦ（例えば、ＨＥ−ＬＴＦ４５５とラベル付けされる少なくとも１つのＨＥ ＷＬＡＮ ＬＴＦ）、を含み得る。
【００５８】
[0066]  無線周波数スペクトル帯域が複数のサブバンドを含む場合、（レガシＷＬＡＮプリアンブル４０５からの）Ｌ−ＳＩＧ情報４２０は、反復レガシシグナリング（ＲＬ−ＳＩＧ）情報として、反復レガシＷＬＡＮシグナリングフィールド４３５の各サブバンドにおいて複製および送信され得る。反復レガシＷＬＡＮシグナリングフィールド４３５は、ＷＬＡＮ ＰＤＵ４００がＩＥＥＥ８０２．１１ａｘ ＷＬＡＮ ＰＤＵであることを局に示し得る。
【００５９】
[0067]  第１のＷＬＡＮシグナリングフィールド４４０は、ＷＬＡＮ ＰＤＵ４００における通信を受信または送信するために識別される複数のＡＰまたは局以外のＡＰおよび局によって使用可能なＨＥ ＷＬＡＮシグナリング情報を含み得る。第１のＷＬＡＮシグナリングフィールド４４０はまた、第２のＷＬＡＮシグナリングフィールド４４５を復号するために識別される複数のＡＰまたは局によって使用可能である情報を含み得る。さらに、第１のＷＬＡＮシグナリングフィールド４４０は、ＯＢＳＳ再利用禁止についての情報を含み得る。無線周波数スペクトル帯域が複数のサブバンドを含む場合、第１のＷＬＡＮシグナリングフィールド４４０に含まれる情報（例えば、ＨＥ−ＳＩＧ−Ａ情報）は、第１のＷＬＡＮシグナリングフィールド４４０の各サブバンドにおいて複製および送信され得る。
【００６０】
[0068]  第２のＷＬＡＮシグナリングフィールド４４５は、ＷＬＡＮ ＰＤＵ４００における通信を送信または受信するために識別される複数のＡＰまたは局によって使用可能なＨＥ ＷＬＡＮシグナリング情報を含み得る。より具体的には、第２のＷＬＡＮシグナリングフィールド４４５は、データフィールド４１５においてデータを送信／エンコードする、または受信／復号するために複数のＡＰまたは局によって使用可能である情報を含み得る。さらに、第２のＷＬＡＮシグナリングフィールド４４５は、ＯＢＳＳ再利用禁止についての情報を含み得る。第２のＷＬＡＮシグナリングフィールド４４５は、第１のＷＬＡＮシグナリングフィールド４４０とは別個にエンコードされ得る。
【００６１】
[0069]  ＨＥ ＷＬＡＮプリアンブル４１０はまた、ＢＳＳの識別子を含み得る。ＢＳＳの識別子は、カラーフィールド（例えば、ＢＳＳカラーフィールド４７０）の値を含み得る。カラーフィールドの値は、ＢＳＳの固有のまたは固有でない識別子であり得、ＢＳＳのメンバーによって生成される全てのＷＬＡＮ ＰＤＵに含まれ得る。いくつかの例では、カラーフィールド４７０の特定の値が、上述のように、ＯＢＳＳ再利用が禁止されることを示し得る。ＨＥ ＷＬＡＮプリアンブル４１０はまた、ＢＳＳトーンフィールド４７５を含み得、それは、ＢＳＳカラーフィールドの延長として使用され得る。ＷＬＡＮ ＰＤＵ４００がＨＥ ＤＬ ＳＵ ＷＬＡＮ ＰＤＵである場合、ＢＳＳトーンフィールド４７５は、送信の１つまたは複数の対象の受信機を識別するために使用され得る。いくつかの場合では、ＢＳＳトーンフィールド４７５が、第１のＷＬＡＮシグナリングフィールド４４０に含まれ得る。
【００６２】
[0070]  ＨＥ ＷＬＡＮプリアンブル４１０はさらに、ＯＢＳＳ送信機がＷＬＡＮ ＰＤＵ４００と同時の送信のためにワイヤレスチャネルを再利用し得るかどうかを示す、ＯＢＳＳ再利用禁止インジケータ（例えば、１つまたは複数のビットまたはバイナリ禁止フラグ４６５）を含み得る。いくつかの例において、禁止フラグ４６５は、ＯＢＳＳ再利用が禁止されることを示すように設定され得、そのＯＢＳＳ送信機は、レガシ延期ルールに従う。禁止フラグは、ＯＢＳＳ再利用が許可されることを示すために、取り除かれ得る。これらのフィールドはまた、エンハンスドＲＴＳおよび／またはＣＴＳフィールドに含まれ得る。
【００６３】
[0071]  さらに、または代替として、第２のＷＬＡＮシグナリングフィールド４４５は、ＯＢＳＳ送信機がＷＬＡＮ ＰＤＵ４００と同時の送信のためにワイヤレスチャネルを再利用し得るかどうかを示す、ＯＢＳＳ再利用禁止インジケータ（例えば、禁止フラグ）を含み得る。いくつかの例において、第２のＷＬＡＮシグナリングフィールド４４５はまた、他のタイプの禁止インジケータ、例えば、上述された方法と同様の方法で、ＯＢＳＳ再利用を許可するように、またはＯＢＳＳ再利用を禁止するように設定され得る干渉制限を含み得る。
【００６４】
[0072]  図５Ａ、５Ｂ、５Ｃ、および５Ｄは、本開示のさまざまな態様に従って、第１のＢＳＳ送信機５０５およびＯＢＳＳ送信機５１０による送信の例を示す。第１のＢＳＳ送信機は、第１のＢＳＳのＡＰまたはＳＴＡであり得、図１乃至４を参照して説明されたＡＰ１０５またはＳＴＡ１１０の態様の例であり得る。
【００６５】
[0073]  図５Ａの例では、第１のＢＳＳ送信機５０５−ａが、図４を参照して説明されたＷＬＡＮ ＰＤＵ４００の態様の例であり得るＷＬＡＮ ＰＤＵ４００−ａを送信し得る。ＷＬＡＮ ＰＤＵ４００−ａは、レガシＷＬＡＮプリアンブル４０５−ａ、ＨＥ ＷＬＡＮプリアンブル４１０−ａ、および／またはデータフィールド４１５−ａを含み得る。レガシＷＬＡＮプリアンブル４０５−ａ、ＨＥ ＷＬＡＮプリアンブル４１０−ａ、およびデータフィールド４１５−ａは、図４のレガシＷＬＡＮプリアンブル４０５、ＨＥ ＷＬＡＮプリアンブル４１０、およびデータフィールド４１５の例であり得る。ＨＥ ＷＬＡＮプリアンブル４１０−ａは、上述されたようなＯＢＳＳ再利用禁止インジケータ、例えば、禁止フラグ、ＯＢＳＳ再利用を許可または禁止するように設定され得るカラーフィールド、干渉制限、などを含み得る。図５Ａの例において、ＨＥ ＷＬＡＮプリアンブル４１０−ａは、ＯＢＳＳ再利用が禁止されることのインジケーションを含み得る。結果として、ＯＢＳＳ送信機５１０−ａは、標準のパワー密度しきい値のようなレガシ延期ルールの使用、およびＷＬＡＮ ＰＤＵ４００−ａが提供されたＮＡＶを遵守することによって、ＷＬＡＮ ＰＤＵ４００−ａと同時の送信を送信しない場合がある。いくつかの例において、上述されたように、第１のＢＳＳ送信機５０５−ａは、ＯＢＳＳ再利用を禁止すること、それは、例えば、ＯＢＳＳ再利用禁止の持続時間において（または、ディスインセンティブルールによって規定されるようにより長い期間において）ＯＢＳＳ送信機におけるＯＢＳＳ再利用を行うことが許可されないことを含み得る、または、例えば、ＡＣ優先のためのＥＤＣＡレベルを調整すること、に併せて、１つまたは複数のディスインセンティブルールを実施し得る。
【００６６】
[0074]  図５Ｂの例では、第１のＢＳＳ送信機５０５−ｂが、レガシＷＬＡＮプリアンブル４０５−ｂ、ＨＥ ＷＬＡＮプリアンブル４１０−ｂ、および／またはデータフィールド４１５−ｂを含み得るＷＬＡＮ ＰＤＵ４００−ｂを送信し得る。この例において、ＨＥ ＷＬＡＮプリアンブル４１０−ｂは、例えば、禁止フラグが取り除かれること、再利用が許可されることを示すＢＳＳカラーが提供されること、または高い干渉制限、などのインジケータによって、ＯＢＳＳ再利用が許可されることを示し得る。このような例において、ＯＢＳＳ送信機５１０−ｂは、ＯＢＳＳ再利用送信５３０を送信し得、それは、関連するＯＢＳＳパワー密度しきい値および関連するパラメータが満たされると仮定すれば、ＷＬＡＮ ＰＤＵ４００−ｂと同時に送信され得る。
【００６７】
[0075]  図５Ｃの例では、第１のＢＳＳ送信機５０５−ｃが、非ＨＥ ＷＬＡＮ ＰＤＵ４００−ｃを送信し得、それは、ＯＢＳＳ送信機５１０−ｃにＯＢＳＳ再利用を禁止するために送信され得る。非ＨＥ ＷＬＡＮ ＰＤＵ４００−ｃは、レガシＷＬＡＮプリアンブル４０５−ｃおよびデータフィールド４１５−ｃを含み得る。このような例において、ＯＢＳＳ送信機５１０−ｃは、標準のＰＤしきい値のようなレガシ延期ルールの使用、およびＷＬＡＮ ＰＤＵ４００−ｃが提供されたＮＡＶを遵守することにより、ＷＬＡＮ ＰＤＵ４００−ｃと同時の送信を送信しない場合がある。いくつかの例において、上述されたように、第１のＢＳＳ送信機５０５−ｃは、非ＨＥ ＷＬＡＮ ＰＤＵ４００−ｃを送信することと同時に、ディスインセンティブルールを実施し得、それは、例えば、第１のＢＳＳ送信機５０５−ｃが、ＯＢＳＳ再利用禁止の持続時間において、または、ディスインセンティブルールによって規定されるようにより長い期間において、非ＨＥ ＷＬＡＮ ＰＤＵ４００−ｃを送信することのみ許可されることを含み得る。
【００６８】
[0076]  図５Ｄの例では、第１のＢＳＳ送信機５０５−ｄが、ＯＢＳＳ送信機５１０−ｄにＯＢＳＳ再利用を禁止するために送信され得るＷＬＡＮ ＰＤＵ４００−ｄに先行するＲＴＳ／ＣＴＳ／ＣＴＳ２Ｓｅｌｆ送信５４５で、ＨＥ（または非ＨＥ）ＷＬＡＮ ＰＤＵ４００−ｄを送信し得る。ＷＬＡＮ ＰＤＵ４００−ｄは、レガシＷＬＡＮプリアンブル４０５−ｄ、ＨＥ ＷＬＡＮプリアンブル４１０−ｄ、およびデータフィールド４１５−ｄを含み得る。このような例において、ＯＢＳＳ送信機５１０−ｄは、標準のパワー密度しきい値のようなレガシ延期ルールの使用、およびＷＬＡＮ ＰＤＵ４００−ｄが提供されたＮＡＶを遵守することによって、ＷＬＡＮ ＰＤＵ４００−ｄと同時の送信を送信しない場合がある。いくつかの例において、上述されたように、第１のＢＳＳ送信機５０５−ｄは、ＣＴＳ／ＲＴＳ／ＣＴＳ２Ｓｅｌｆ５４５を送信すること、それは、例えば、第１のＢＳＳ送信機５０５−ｄが、ＯＢＳＳ再利用禁止の持続時間において（または、ディスインセンティブルールによって規定されるようにより長い期間において）ＯＢＳＳ送信機においてＯＢＳＳ再利用を行うことが許可されないことを含み得る、または、例えば、ＡＣ優先のためのＥＤＣＡレベルを調整すること、に併せて、ディスインセンティブルールを実施し得る。
【００６９】
[0077]  図６は、本開示のさまざまな態様に従って、ＯＢＳＳによるワイヤレス送信の動的禁止をサポートするワイヤレスデバイス６００のブロック図を示す。ワイヤレスデバイス６００は、図１乃至５を参照して説明されたＳＴＡ１１０またはＡＰ１０５の態様の例であり得る。ワイヤレスデバイス６００は、受信機６０５、動的禁止マネージャ６１０、および送信機６１５を含み得る。ワイヤレスデバイス６００はまた、プロセッサを含み得る。これらのコンポーネントの各々は、互いと通信状態にあり得る。
【００７０】
[0078]  受信機６０５は、さまざまな情報チャネル（例えば、制御チャネル、データチャネルおよびＯＢＳＳによるワイヤレス送信の動的禁止に関連した情報など）に関連付けられた、制御情報、ユーザデータ、またはパケットのような情報を受信し得る。情報は、デバイスの他のコンポーネントに伝えられ得る。受信機６０５は、図９を参照して説明されたトランシーバ９２５の態様の例であり得る。
【００７１】
[0079]  動的禁止マネージャ６１０は、第１のＢＳＳの第１の送信機から送信される第１の送信を識別し得、第１の送信の間における第１の送信機と同時の送信を、第１のＢＳＳと重複するＯＢＳＳの１つまたは複数の他の送信機に動的に禁止し得る。動的禁止マネージャ６１０は、同時のＯＢＳＳ送信が禁止されることを示すフレームのプリアンブルにおける値を設定し得る。動的禁止マネージャ６１０は、図９を参照して説明された動的禁止マネージャ９０５の態様の例であり得る。
【００７２】
[0080]  送信機６１５は、ワイヤレスデバイス６００の他のコンポーネントから受信される信号を送信し得る。いくつかの例において、送信機６１５は、トランシーバモジュールにおける受信機とコロケートされ得る。例えば、送信機６１５は、図９を参照して説明されたトランシーバ９２５の態様の例であり得る。送信機６１５は、単一のアンテナを含み得るか、それは複数のアンテナを含み得る。
【００７３】
[0081]  図７は、本開示のさまざまな態様に従って、ＯＢＳＳによるワイヤレス送信の動的禁止をサポートするワイヤレスデバイス７００のブロック図を示す。ワイヤレスデバイス７００は、図１乃至６を参照して説明されたＡＰ１０５またはＳＴＡ１１０またはワイヤレスデバイス６００の態様の例であり得る。ワイヤレスデバイス７００は、受信機７０５、動的禁止マネージャ７１０、および送信機７２５を含み得る。ワイヤレスデバイス７００はまた、プロセッサを含み得る。これらのコンポーネントの各々は、互いと通信状態にあり得る。
【００７４】
[0082]  受信機７０５は、デバイスの他のコンポーネントに伝えられ得る情報を受信し得る。受信機７０５はまた、図６の受信機６０５を参照して説明された機能を行い得る。受信機７０５は、図９を参照して説明されたトランシーバ９２５の態様の例であり得る。
【００７５】
[0083]  動的禁止マネージャ７１０は、図６を参照して説明された動的禁止マネージャ６１０の態様の例であり得る。動的禁止マネージャ７１０は、送信禁止コンポーネント７１５およびＢＳＳ送信コンポーネント７２０を含み得る。動的禁止マネージャ７１０は、図９を参照して説明された動的禁止マネージャ９０５の態様の例であり得る。
【００７６】
[0084]  送信禁止コンポーネント７１５は、第１の送信の間における第１の送信機と同時の送信を、第１のＢＳＳと重複するＯＢＳＳの１つまたは複数の他の送信機に動的に禁止し得る。送信禁止コンポーネント７１５は、同時のＯＢＳＳ送信が禁止されることを示すフレームのプリアンブルにおける値を設定し得る。いくつかの場合において、ワイヤレスデバイス７００は、ＡＰの一部であり得、送信禁止コンポーネント７１５は、データフレーム特性を識別することを第１のＢＳＳにおける１つまたは複数の局に有効にし、１つまたは複数の局の送信の間に送信することをＯＢＳＳの他の送信機に動的に禁止するために、１つまたは複数の局に情報を送信し得る。いくつかの場合において、ワイヤレスデバイス７００は、局の一部であり得、送信禁止コンポーネント７１５は、データフレーム特性を識別することを局に有効にし、局の送信の間に送信することをＯＢＳＳの他の送信機に動的に禁止するために、第１のＢＳＳにおけるＡＰから情報を受信し得る。
【００７７】
[0085]  いくつかの場合では、第１の送信機が、ＯＢＳＳの送信機が標準のパワー密度レベルを使用し、データフレームのネットワーク割当てベクトル（ＮＡＶ）を遵守することを示す。いくつかの場合では、ＡＰが、動的なＯＢＳＳ禁止を構成するために１つまたは複数の局に情報を提供し得る。情報は、例えば、１つまたは複数の局に送信されるシングルビットインジケータを含み得る。いくつかの場合において、情報は、データフレーム特性の識別を有効にし、１つまたは複数の局の送信の間に送信することをＯＢＳＳの他の送信機に動的に禁止するかどうかを決定するために、１つまたは複数の局による使用のための１つまたは複数のパラメータを含み得る。
【００７８】
[0086]  いくつかの場合において、第１のＢＳＳのＳＴＡまたはＡＰは、ＯＢＳＳ再利用を禁止するかどうかを決定する１つまたは複数のパラメータを識別し得る。いくつかの例において、１つまたは複数のパラメータは、ほとんど無いか全くない干渉の許可によって同時の送信を禁止するために低い値に設定される、または、より高いレベルの干渉の許可によって同時の送信を許可するために高い値に設定される、許可された干渉パラメータを備え得る。
【００７９】
[0087]  ＢＳＳ送信コンポーネント７２０は、第１のＢＳＳの第１の送信機から送信される第１の送信を識別し得る。送信機７２５は、ワイヤレスデバイス７００の他のコンポーネントから受信された信号を送信し得る。いくつかの例において、送信機７２５は、トランシーバモジュールにおける受信機とコロケートされ得る。例えば、送信機７２５は、図９を参照して説明されたトランシーバ９２５の態様の例であり得る。送信機７２５は、単一のアンテナを使用し得るか、それは複数のアンテナを使用し得る。
【００８０】
[0088]  図８は、ワイヤレスデバイス７００、またはワイヤレスデバイス６００の対応するコンポーネントの例であり得る動的禁止マネージャ８００のブロック図を示す。すなわち、動的禁止マネージャ８００は、図６および７を参照して説明された動的禁止マネージャ６１０または動的禁止マネージャ７１０の態様の例であり得る。動的禁止マネージャ８００はまた、図９を参照して説明された動的禁止マネージャ９０５の態様の例であり得る。
【００８１】
[0089]  動的禁止マネージャ８００は、送信禁止コンポーネント８０５、ディスインセンティブルールコンポーネント８１０、ＢＳＳ送信コンポーネント８１５、特性識別コンポーネント８２０、カラーフィールドコンポーネント８２５、プリアンブルフラグコンポーネント８３０、ＲＴＳ−ＣＴＳコンポーネント８３５、干渉しきい値コンポーネント８４０、およびフレームフォーマットコンポーネント８４５を含み得る。これらのモジュールの各々は、（例えば１つまたは複数のバスを介して）互いに、直接または間接的に、通信し得る。
【００８２】
[0090]  送信禁止コンポーネント８０５は、第１の送信の間における第１の送信機と同時の送信を、第１のＢＳＳと重複するＯＢＳＳの１つまたは複数の他の送信機に動的に禁止し得る。送信禁止コンポーネント８０５は、同時のＯＢＳＳ送信が禁止されることを示すフレームのプリアンブルにおける値を設定し得る。ディスインセンティブルールコンポーネント８１０は、同時の送信を動的に禁止することに基づいて１つまたは複数のディスインセンティブルールを適用し得る。いくつかの例において、１つまたは複数のディスインセンティブルールはＡＰによって構成され、第１のＢＳＳの１つまたは複数の局に送信される。いくつかの場合において、１つまたは複数のディスインセンティブルールは、同時の送信が禁止されることをＯＢＳＳの１つまたは複数の送信機に示すために非ＨＥフレームが使用される場合、所定の期間において非高効率（非ＨＥ)データフレームのみを送信することを備える。特定の場合において、１つまたは複数のディスインセンティブルールは、同時の送信が禁止されることのインジケーションなしで第１の送信が送信された場合に示される第１の送信のためのチャネル優先度より低いチャネル優先度を示すことを備える。いくつかの場合において、１つまたは複数のディスインセンティブルールは、同時の送信が禁止されることを示すために使用され得る利用可能なワイヤレスリソースを利用可能なリソースのサブセットに制限することを備える。
【００８３】
[0091]  ＢＳＳ送信コンポーネント８１５は、第１のＢＳＳの第１の送信機から送信される第１の送信を識別し得る。特性識別コンポーネント８２０は、第１の送信の１つまたは複数の特性を識別し得、動的に禁止することは、識別された１つまたは複数の特性に少なくとも部分的に基づき得る。いくつかの場合において、１つまたは複数の特性は、１つまたは複数のチャネル品質特性またはサービス品質特性を備える。１つまたは複数のチャネル品質特性は、関連するしきい値を超過するＰＤＵ失敗率、関連するしきい値を超過するＰＤＵエラー率、関連するしきい値を超過するＰＤＵリトライカウント、信号対干渉および雑音比（ＳＩＮＲ）、受信信号強度インジケーション、または、関連するしきい値未満のサポートされる最大の変調および符号化スキーム、関連するしきい値を超過するバースト性干渉を受ける送信のパーセンテージ、しきい値を超過するデータペイロード対プリアンブルのＳＩＮＲ低下、または、関連するしきい値未満のアクセスされた通信時間、のうちの1つまたは複数を含み得る。いくつかの場合において、１つまたは複数のサービス品質特性は、第１の送信機によって送信されるデータに関連付けられた送信優先度または第１の送信機の送信において送信されるデータに関連付けられたレイテンシーのうちの１つまたは複数を備える。
【００８４】
[0092]  カラーフィールドコンポーネント８２５は、同時のＢＳＳ送信が禁止されることを示す所定の値に送信のデータフレームのプリアンブルにおけるカラーフィールドを設定し得る。プリアンブルフラグコンポーネント８３０は、同時のＯＢＳＳ送信が禁止されることを示すフレームのプリアンブルにおけるフラグを設定し得る。いくつかの場合において、プリアンブルフラグは、非ＨＥフレームのプリアンブルにおいて、例えば、サービスフィールド、送信機アドレスフィールド、または受信機アドレスフィールドにおいて、位置を特定され得る。
【００８５】
[0093]  ＲＴＳ−ＣＴＳコンポーネント８３５は、第１の送信機の送信に先行する送信可（ＣＴＳ２Ｓｅｌｆを含む）送信または送信要求送信のうちの１つまたは複数を生成および送信し得る。いくつかの場合において、送信要求または送信可送信は、同時の送信がレガシ延期ルールに従って禁止されることをＯＢＳＳの１つまたは複数の送信機に示す。
【００８６】
[0094]  干渉しきい値コンポーネント８４０は、送信の間に送信されるデータフレームのプリアンブルにおける干渉しきい値を生成および送信し得、干渉しきい値は、データフレームによって耐えられる干渉の量を示し得る。いくつかの場合において、干渉しきい値は、同時のＯＢＳＳ送信が、ほとんど無いか全くない干渉の許可によって禁止されることを示すために低いレベルに設定され得る。
【００８７】
[0095]  フレームフォーマットコンポーネント８４５は、同時の送信がレガシ延期ルールに従って禁止されることをＯＢＳＳの１つまたは複数の送信機に示す非高効率（非ＨＥ）フレームとして送信の間に第1の送信機によって送信されるデータフレームをフォーマットし得る。
【００８８】
[0096]  図９は、本開示のさまざまな態様に従って、ＯＢＳＳによるワイヤレス送信の動的禁止をサポートするデバイスを含むシステム９００の図を示す。例えば、システム９００は、ＳＴＡ１１０−ｃを含み得、それは、図１乃至８を参照して説明されたワイヤレスデバイス６００、ワイヤレスデバイス７００、またはＳＴＡ１１０の例であり得る。
【００８９】
[0097]  ＳＴＡ１１０−ｃはまた、動的禁止マネージャ９０５、メモリ９１０、プロセッサ９２０、トランシーバ９２５、およびアンテナ９３０を含み得る。これらのモジュールの各々は、（例えば１つまたは複数のバスを介して）互いに、直接または間接的に、通信し得る。動的禁止マネージャ９０５は、図６乃至８を参照して説明された動的禁止マネージャの例であり得る。
【００９０】
[0098]  メモリ９１０は、ランダムアクセスメモリ（ＲＡＭ）および読取専用メモリ（ＲＯＭ）を含み得る。メモリ９１０は、実行されるとき、プロセッサに、本書に説明されたさまざまな機能（例えば、ＯＢＳＳによるワイヤレス送信の動的禁止など）を行わせる命令を含む、コンピュータ可読、コンピュータ実行可能ソフトウェアを記憶し得る。いくつかの場合において、ソフトウェア９１５は、プロセッサによって直接的に実行可能ではない場合もあるが、コンピュータに、（例えば、コンパイルおよび実行されるとき、）本書に説明されている機能を行わせ得る。プロセッサ９２０は、インテリジェントハードウェアデバイス（例えば、中央処理ユニット（ＣＰＵ）、マイクロコントローラ、特定用途向け集積回路（ＡＳＩＣ）など）を含み得る。
【００９１】
[0099]  トランシーバ９２５は、上述されたように、１つまたは複数のアンテナ、有線あるいは無線のリンクを介して、１つまたは複数のネットワークと双方向に通信し得る。例えば、トランシーバ９２５は、ＡＰ１０５またはＳＴＡ１１０と双方向に通信し得る。トランシーバ９２５はまた、パケットを変調して変調されたパケットを送信のためにアンテナに提供するために、アンテナから受信されたパケットを復調するためにモデムを含み得る。いくつかの場合において、ワイヤレスデバイスは、単一のアンテナ９３０を含み得る。しかしながら、いくつかの場合において、デバイスは、２つ以上のアンテナ９３０を有し得、それらは、複数のワイヤレス送信を同時に送信または受信することが可能であり得る。
【００９２】
[0100]  図１０は、本開示のさまざまな態様に従って、ＯＢＳＳによるワイヤレス送信の動的禁止をサポートするデバイスを含むシステム１０００の図を示す。例えば、システム１０００は、ＡＰ１０５−ｄを含み得、それは、図１乃至８を参照して説明されたようなワイヤレスデバイス６００、ワイヤレスデバイス７００、またはＡＰ１０５の例であり得る。
【００９３】
[0101]  ＡＰ１０５−ｄはまた、動的禁止マネージャ１００５、メモリ１０１０、プロセッサ１０２０、トランシーバ１０２５、およびアンテナ１０３０を含み得る。これらのモジュールの各々は、（例えば１つまたは複数のバスを介して）互いに、直接または間接的に、通信し得る。動的禁止マネージャ１００５は、図６乃至８を参照して説明された動的禁止マネージャの例であり得る。
【００９４】
[0102]  メモリ１０１０は、ＲＡＭおよびＲＯＭを含み得る。メモリ１０１０は、実行されるとき、プロセッサに、本書に説明されるさまざまな機能（例えば、ＯＢＳＳによるワイヤレス送信の動的禁止など）を行わせる命令を含む、コンピュータ可読、コンピュータ実行可能ソフトウェアを記憶し得る。いくつかの場合において、ソフトウェア１０１５は、プロセッサによって直接的に実行可能ではない場合もあるが、コンピュータに、（例えば、コンパイルおよび実行されるとき、）本書に説明される機能を行わせ得る。プロセッサ１０２０は、インテリジェントハードウェアデバイス（例えば、ＣＰＵ、マイクロコントローラ、ＡＳＩＣなど）を含み得る。
【００９５】
[0103]  トランシーバ１０２５は、上述されたように、１つまたは複数のアンテナ、有線あるいは無線のリンクを介して、１つまたは複数のネットワークと双方向に通信し得る。例えば、トランシーバ１０２５は、ＡＰ１０５またはＳＴＡ１１０と双方向に通信し得る。トランシーバ１０２５はまた、パケットを変調して変調されたパケットを送信のためにアンテナに提供するために、アンテナから受信されたパケットを復調するためにモデムを含み得る。いくつかの場合において、ワイヤレスデバイスは、単一のアンテナ１０３０を含み得る。しかしながら、いくつかの場合において、デバイスは、２つ以上のアンテナ１０３０を有し得、それらは、複数のワイヤレス送信を同時に送信または受信することが可能であり得る。
【００９６】
[0104]  図１１は、本開示のさまざまな態様に従ってＯＢＳＳによるワイヤレス送信の動的禁止のための方法１１００を例示するフローチャートを示す。方法１１００の動作は、図１乃至５、９、または１０を参照して説明されたようにデバイス、例えば、ＳＴＡ１１０またはＡＰ１０５またはそれのコンポーネントによって、実施され得る。例えば、方法１１００の動作は、本書に説明されるような動的禁止マネージャによって行われ得る。いくつかの例において、ＳＴＡ１１０またはＡＰ１０５は、デバイスの機能的要素を制御して以下に説明される機能を行うためにコードのセットを実行し得る。さらに、または代替として、ＳＴＡ１１０またはＡＰ１０５は、専用ハードウェアを使用して以下に説明される機能の態様を行い得る。
【００９７】
[0105]  ブロック１１０５において、ＳＴＡ１１０またはＡＰ１０５は、図２乃至５を参照して上述されたように第１のＢＳＳの第１の送信機から送信される第１の送信を識別し得る。特定の例において、ブロック１１０５の動作は、図７または図８を参照して説明されたようにＢＳＳ送信コンポーネントによって行われ得る。
【００９８】
[0106]  ブロック１１１０において、ＳＴＡ１１０またはＡＰ１０５は、図２乃至５を参照して説明されたように、第１の送信の間における第１の送信機と同時の送信を、第１のＢＳＳと重複するＯＢＳＳの１つまたは複数の他の送信機に動的に禁止し得る。動的に禁止することは、同時のＯＢＳＳ送信が禁止されることを示すフレームのプリアンブルにおける値を設定することを含み得る。特定の例において、ブロック１１１０の動作は、図７または図８を参照して説明されたように送信禁止コンポーネントによって行われ得る。
【００９９】
[0107]  図１２は、本開示のさまざまな態様に従ってＯＢＳＳによるワイヤレス送信の動的禁止のための方法１２００を例示するフローチャートを示す。方法１２００の動作は、図１乃至５、９、または１０を参照して説明されたように、デバイス、例えば、ＳＴＡ１１０またはＡＰ１０５またはそれのコンポーネントによって、実施され得る。例えば、方法１２００の動作は、本書に説明されるように動的禁止マネージャによって行われ得る。いくつかの例において、ＳＴＡ１１０またはＡＰ１０５は、デバイスの機能的要素を制御して以下に説明される機能を行うためにコードのセットを実行し得る。さらに、または代替として、ＳＴＡ１１０またはＡＰ１０５は、専用ハードウェアを使用して以下に説明される機能の態様を行い得る。
【０１００】
[0108]  ブロック１２０５において、ＳＴＡ１１０またはＡＰ１０５は、図２乃至５を参照して上述されたように第１の送信の１つまたは複数の特性および第１のＢＳＳの第１の送信機から送信される第１の送信を識別し得る。特定の例において、ブロック１２０５の動作は、図７または図８を参照して説明されたようにＢＳＳ送信コンポーネントによって行われ得る。
【０１０１】
[0109]  ブロック１２１０において、ＳＴＡ１１０またはＡＰ１０５は、図２乃至５を参照して説明されたように、識別された１つまたは複数の特性に少なくとも部分的に基づいて、第１の送信の間における第１の送信機と同時の送信を、第１のＢＳＳと重複するＯＢＳＳの１つまたは複数の他の送信機に動的に禁止し得る。動的に禁止することは、同時のＯＢＳＳ送信が禁止されることを示すフレームのプリアンブルにおける値を設定することを含み得る。特定の例において、ブロック１２１０の動作は、図７または図８を参照して説明されたように送信禁止コンポーネントによって行われ得る。
【０１０２】
[0110]  図１３は、本開示のさまざまな態様に従ってＯＢＳＳによるワイヤレス送信の動的禁止のための方法１３００を例示するフローチャートを示す。方法１３００の動作は、図１乃至５または１０を参照して説明されたようにデバイス、例えば、ＡＰ１０５またはそれのコンポーネントによって、実施され得る。例えば、方法１３００の動作は、本書に説明されるように動的禁止マネージャによって行われ得る。いくつかの例において、ＡＰ１０５は、デバイスの機能的要素を制御して以下に説明される機能を行うためにコードのセットを実行し得る。さらに、または代替として、ＡＰ１０５は、専用ハードウェアを使用して以下に説明される機能の態様を行い得る。
【０１０３】
[0111]  ブロック１３０５において、ＡＰ１０５は、図２乃至５を参照して説明されたように第１のＢＳＳの第１の送信機から送信される第１の送信を識別し得る。特定の例において、ブロック１３０５の動作は、図７または図８を参照して説明されたようにＢＳＳ送信コンポーネントによって行われ得る。
【０１０４】
[0112]  ブロック１３１０において、ＡＰ１０５は、図２乃至５を参照して説明されたように、第１の送信の間における第１の送信機と同時の送信を、第１のＢＳＳと重複するＯＢＳＳの１つまたは複数の他の送信機に動的に禁止し得る。動的に禁止することは、同時のＯＢＳＳ送信が禁止されることを示すフレームのプリアンブルにおける値を設定することを含み得る。特定の例において、ブロック１３１０の動作は、図７または図８を参照して説明されたように送信禁止コンポーネントによって行われ得る。
【０１０５】
[0113]  ブロック１３１５において、ＡＰ１０５は、図２乃至５を参照して上述されたように、データフレーム特性を識別することを第１のＢＳＳにおける１つまたは複数の局に有効にするために、および、１つまたは複数の局の送信の間に送信することをＯＢＳＳの他の送信機に動的に禁止するために、１つまたは複数の局に情報を送信し得る。特定の例において、ブロック１３１５の動作は、図７または図８を参照して説明されたように送信禁止コンポーネントによって行われ得る。いくつかの例において、ＡＰ１０５は、ＳＴＡにフレーム特性を測定および識別させることなく、ＳＴＡに、それらが再利用を許可すべきか禁止すべきかを単に指示し得る。いくつかの例において、ＡＰは、それ固有のフレームのいずれにおいても再利用を禁止することなく、ブロック１３１５を実行し得る。言い換えると、ＡＰ１０５は、ブロック１３０５および１３１０におけるステップをスキップし、１３１５に直行し得る。
【０１０６】
[0114]  図１４は、本開示のさまざまな態様に従ってＯＢＳＳによるワイヤレス送信の動的禁止のための方法１４００を例示するフローチャートを示す。方法１４００の動作は、図１乃至５または９を参照して説明されたようにデバイス、例えば、ＳＴＡ１１０またはそれのコンポーネントによって、実施され得る。例えば、方法１４００の動作は、本書に説明されるような動的禁止マネージャによって行われ得る。いくつかの例において、ＳＴＡ１１０は、デバイスの機能的要素を制御して以下に説明される機能を行うためにコードのセットを実行し得る。さらに、または代替として、ＳＴＡ１１０は、専用ハードウェアを使用して以下に説明される機能の態様を行い得る。
【０１０７】
[0115]  ブロック１４０５において、ＳＴＡ１１０は、図２乃至５を参照して説明されたように、第１のＢＳＳの第１の送信機から送信される第１の送信を識別し得る。特定の例において、ブロック１４０５の動作は、図７または図８を参照して説明されたようにＢＳＳ送信コンポーネントによって行われ得る。
【０１０８】
[0116]  ブロック１４１０において、ＳＴＡ１１０は、図２乃至５を参照して説明されたように、第１の送信の間における第１の送信機と同時の送信を、第１のＢＳＳと重複するＯＢＳＳの１つまたは複数の他の送信機に動的に禁止し得る。動的に禁止することは、同時のＯＢＳＳ送信が禁止されることを示すフレームのプリアンブルにおける値を設定することを含み得る。特定の例において、ブロック１４１０の動作は、図７または図８を参照して説明されたように送信禁止コンポーネントによって行われ得る。
【０１０９】
[0117]  ブロック１４１５において、ＳＴＡ１１０は、図２乃至５を参照して上述されたように、データフレーム特性を識別することを局に有効にし、局の送信の間に送信することをＯＢＳＳの他の送信機に動的に禁止するために、第１のＢＳＳにおけるＡＰから情報を受信し得る。特定の例において、ブロック１４１５の動作は、図７または図８を参照して説明されたように送信禁止コンポーネントによって行われ得る。いくつかの例において、ＳＴＡは、データフレーム特性を識別する必要なく再利用を許可または禁止するようにそれに指示する情報を、ＡＰから受信し得る。いくつかの例において、ＳＴＡは、再利用を許可するのを禁止することを決定する前にＡＰからの命令を待ち得る。これらの例において、ＳＴＡは、１４１０のブロック１４０５に示されるステップをスキップし、１４１５に直行する。
【０１１０】
[0118]  これらの方法が、可能な実施形態を説明しており、動作およびステップが、他の実施形態が可能になるように再配置またはそうでない場合は修正され得ることに留意されたい。いくつかの例において、複数の方法のうちの２つ以上からの態様が組み合わされ得る。例えば、方法の各々の態様は、本書に説明される他のステップまたは技術、または他の方法のステップまたは態様を含み得る。かくして、本開示の態様は、ＯＢＳＳによるワイヤレス送信の動的禁止を提供し得る。
【０１１１】
[0119]  本書での説明は、当業者が本開示を製造または使用することを有効にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
【０１１２】
[0120]  ここで説明された機能は、ハードウェア、プロセッサによって実行されるソフトウェア、ファームウェア、またはこれらの任意の組み合わせで実施され得る。プロセッサによって実行されるソフトウェア中で実施される場合、機能は、コンピュータ可読媒体で、１つまたは複数の命令またはコードとして記憶または送信され得る。他の例および実施形態は、本開示および特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用して実施され得る。機能を実施する特徴はまた、さまざまな位置において物理的に配置され得、それは、機能の一部が異なるＰＨＹ位置において実施されるように分配されることを含む。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１１３】
[0121]  コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または特殊用途コンピュータによってアクセスされ得る任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用され得、汎用または特殊用途コンピュータ、もしくは汎用または特殊用途プロセッサによってアクセスされ得る、任意の他の非一時的な媒体を備えることができる。また、任意の接続が、コンピュータ可読媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１１４】
[0122]  本書に説明される１つまたは複数のワイヤレス通信システムは、同期または非同期動作をサポートし得る。同期動作の場合、基地局は、同様のフレームタイミングを有し得、異なる基地局からの送信は、時間的にほぼにアラインされ得る（approximately aligned in time）。非同期動作の場合、基地局は、異なるフレームタイミングを有し得、異なる基地局からの送信は、時間的にアラインされないことがあり得る。本書で説明される技術は、同期または非同期動作のいずれかに対して使用され得る。
[0123]  かくして、本開示の態様は、ＯＢＳＳによるワイヤレス送信の動的禁止を提供し得る。これらの方法が、可能な実施形態を説明しており、方法および動作が、他の実施形態が可能になるように再配置またはそうでない場合は修正され得ることに留意されたい。いくつかの例において、複数の方法のうちの２つ以上からの態様が組み合わされ得る。
【０１１５】
[0124]  ここでの開示に関連して説明された様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、個別ゲートまたはトランジスタロジック、個別ハードウェア構成要素、またはここで説明された機能を行うように設計されたこれらの任意の組み合わせを用いて実施または行われ得る。汎用プロセッサはマイクロプロセッサであり得るが、代替として、プロセッサは任意の従来のプロセッサ、コントローラ、マイクロコントローラ、またはステートマシンであり得る。プロセッサはまた、（例えば、ＤＳＰとマイクロプロセッサの組み合わせ、複数のマイクロプロセッサ、ＤＳＰコアに連結した１つまたは複数のマイクロプロセッサ、または他の任意のそのような構成といった、）コンピューティング・デバイスの組み合わせとして実施され得る。かくして、本書に説明される機能は、少なくとも１つの集積回路（ＩＣ）上で、１つまたは複数の他の処理ユニット（またはコア）によって行われ得る。さまざまな例では、異なるタイプのＩＣ（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はまた、１つまたは複数の汎用または特定用途向けのプロセッサによって実行されるようにフォーマットされた、メモリにおいて具現化される命令で、全体的または部分的に実施され得る。
【０１１６】
[0125]  添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本書において第１の参照ラベルのみが使用される場合、第２の参照ラベルに関係なく同じ第１の参照ラベルを有する同様のコンポーネントのいずれか１つに、説明が適用可能である。
【図１】
2018533875.tif 000003
【図２】
2018533875.tif 000004
【図３】
2018533875.tif 000005
【図４】
2018533875.tif 000006
【図５Ａ】
2018533875.tif 000007
【図５Ｂ】
2018533875.tif 000008
【図５Ｃ】
2018533875.tif 000009
【図５Ｄ】
2018533875.tif 000010
【図６】
2018533875.tif 000011
【図７】
2018533875.tif 000012
【図８】
2018533875.tif 000013
【図９】
2018533875.tif 000014
【図１０】
2018533875.tif 000015
【図１１】
2018533875.tif 000016
【図１２】
2018533875.tif 000017
【図１３】
2018533875.tif 000018
【図１４】
2018533875.tif 000019
【国際調査報告】
2018533875.tif 000020
2018533875.tif 000021